(57)【特許請求の範囲】
【請求項１】
ユーザ端末において適用される、ビデオコンテンツを取得する方法であって、
前記ユーザ端末上に現在表示されるビデオコンテンツにおけるコンテンツを取得する第一の動作を受信するステップと、
前記第一の動作に基づいて前記コンテンツを取得する第一のリクエストを生成するステップであって、前記第一のリクエストは、タイムスタンプを含み、前記ビデオコンテンツを撮影する撮影装置から前記タイムスタンプに対応する画像又はビデオを要求するよう構成される、ステップと、
前記撮影装置に前記第一のリクエストを送信するステップと、
前記撮影装置から前記タイムスタンプに対応する前記画像又は前記ビデオを取得するステップであって、前記撮影装置からの前記画像又は前記ビデオの解像度が前記ユーザ端末上に現在表示される前記ビデオコンテンツの解像度よりも高いステップとを備え、
前記タイムスタンプに対応する前記画像は、前記タイムスタンプによって示される瞬間だけにおける画像、及び、予め設定した幾つかの時間単位だけ前記タイムスタンプによって示される瞬間の前及び／または後の幾つかの瞬間における画像を含む画像を指し、
前記タイムスタンプに対応する前記ビデオは、前記タイムスタンプから開始されタイムスタンプよりも予め設定した数時間単位後の時間に終了されたビデオ、前記タイムスタンプよりも予め設定した数時間単位前の時間から開始されタイムスタンプで終了されたビデオ、前記タイムスタンプより予め設定した数時間単位前の時間から開始されタイムスタンプよりも予め設定した数時間単位後の時間で終了されたビデオのうちの一つ以上を含み、
前記撮影装置から前記タイムスタンプに対応する前記画像又は前記ビデオを取得するステップは、
アップロードされるべきコンテンツのアドレスを前記撮影装置に送信し、前記撮影装置が前記タイムスタンプに対応する前記画像又は前記ビデオを前記アドレスにアップロードするステップ、
前記アップロードされるべきコンテンツのアップロードが成功したことを示すメッセージを前記撮影装置から受信するステップ、及び、
前記アドレスから前記タイムスタンプに対応する前記画像又は前記ビデオを取得するステップを含む、方法。
【請求項２】
前記第一の動作を受信するステップの前には、
前記撮影装置と通信接続を確立するステップと、
表示されるべきビデオコンテンツに対して解像度を選択するステップであって、前記選択された解像度が前記撮影装置によって撮影された前記ビデオコンテンツの解像度よりも低いステップと、
ビデオを表示する第二のリクエストを生成するステップであり、前記第二のリクエストは、前記選択された解像度を含み、前記撮影装置から前記選択された解像度に対応する前記ビデオコンテンツを要求するよう構成されるステップと、
前記撮影装置に前記第二のリクエストを送信するステップと、
前記撮影装置から前記選択された解像度に対応する前記ビデオコンテンツを取得するステップと、
前記撮影装置からの前記ビデオコンテンツを表示するステップとをさらに備える請求項１に記載の方法。
【請求項３】
前記表示されるべきビデオコンテンツに対して解像度を選択するステップは、
解像度を選択する第二の動作を受信するステップであって、前記第二の動作が前記表示されるべきビデオコンテンツに対して選択された解像度を示すよう構成されるステップ、及び、
前記第二の動作に基づいて前記表示されるべきビデオコンテンツに対して解像度を選択するステップを含み、或いは、
前記表示されるべきビデオコンテンツに対して解像度を選択するステップは、
前記ユーザ端末の現在の通信モードを検出するステップ、及び、
前記通信モードに基づいて前記表示されるべきビデオコンテンツに対して前記解像度を選択するステップを含む、請求項２に記載の方法。
【請求項４】
撮影装置において適用される、ビデオコンテンツを取得する方法であって、
ビデオコンテンツを表示するユーザ端末からコンテンツを取得する第一のリクエストを受信するステップであって、前記第一のリクエストは、タイムスタンプを含み、前記ビデオコンテンツを撮影する前記撮影装置から前記タイムスタンプに対応する画像又はビデオを要求するよう構成されるステップと、
前記タイムスタンプに対応する前記画像又は前記ビデオを抽出するステップと、
前記タイムスタンプに対応する前記画像又は前記ビデオを前記ユーザ端末に供給するステップであって、前記撮影装置からの前記画像又は前記ビデオの解像度が前記ユーザ端末上に現在表示される前記ビデオコンテンツの解像度よりも高い、ステップと、を備え、
前記タイムスタンプに対応する前記画像は、前記タイムスタンプによって示される瞬間だけにおける画像、及び、予め設定した幾つかの時間単位だけ前記タイムスタンプによって示される瞬間の前及び／または後の幾つかの瞬間における画像を含む画像を指し、
前記タイムスタンプに対応する前記ビデオは、前記タイムスタンプから開始されタイムスタンプよりも予め設定した数時間単位後の時間に終了されたビデオ、前記タイムスタンプよりも予め設定した数時間単位前の時間から開始されタイムスタンプで終了されたビデオ、前記タイムスタンプより予め設定した数時間単位前の時間から開始されタイムスタンプよりも予め設定した数時間単位後の時間で終了されたビデオのうちの一つ以上を含み、
前記タイムスタンプに対応する前記画像又は前記ビデオを前記ユーザ端末に供給するステップは、
アップロードされるべきコンテンツのアドレスを前記ユーザ端末から受信するステップ、
前記タイムスタンプに対応する前記画像又は前記ビデオを前記アドレスにアップロードするステップ、及び、
前記ユーザ端末に前記アップロードされるべきコンテンツのアップロードが成功したことを示すメッセージを送信するステップを含む、方法。
【請求項５】
前記第一のリクエストを受信するステップの前には、
前記ユーザ端末と通信接続を確立するステップと、
前記ユーザ端末からビデオを表示する第二のリクエストを受信するステップであって、前記第二のリクエストは、前記ユーザ端末によって選択される解像度を含み、前記撮影装置から前記ユーザ端末によって選択された前記解像度に対応する前記ビデオコンテンツを要求するよう構成され、前記ユーザ端末によって選択された前記解像度が前記撮影装置によって撮影された前記ビデオコンテンツの解像度よりも低いステップと、
前記ユーザ端末によって選択された前記解像度に対応する前記ビデオコンテンツを前記ユーザ端末に供給するステップと、を備える請求項４に記載の方法。
【請求項６】
前記ユーザ端末によって選択された前記解像度に対応する前記ビデオコンテンツを前記ユーザ端末に供給するステップは、
前記ユーザ端末によって選択された前記解像度と一致するよう、前記撮影装置によって撮影された前記ビデオコンテンツの前記解像度を変換するステップ、及び、
前記ユーザ端末によって選択された前記解像度に変換された前記ビデオコンテンツを前記ユーザ端末に供給するステップを含む、請求項５に記載の方法。
【請求項７】
ユーザ端末において適用される、ビデオコンテンツを取得する機器であって、
前記ユーザ端末上に現在表示されるビデオコンテンツにおけるコンテンツを取得する第一の動作を受信する、第一の受信モジュールと、
前記第一の動作に基づいて前記コンテンツを取得する第一のリクエストを生成する第一のリクエスト生成モジュールであって、前記第一のリクエストは、タイムスタンプを含み、前記ビデオコンテンツを撮影する撮影装置から前記タイムスタンプに対応する画像又はビデオを要求するよう構成される、第一のリクエスト生成モジュールと、
前記第一のリクエストを前記撮影装置に送信する第一の送信モジュールと、
前記撮影装置から前記タイムスタンプに対応する前記画像又は前記ビデオを取得する第一の取得モジュールであって、前記撮影装置からの前記画像又は前記ビデオの解像度が前記ユーザ端末上に現在表示される前記ビデオコンテンツの解像度よりも高い、第一の取得モジュールとを備え、
前記タイムスタンプに対応する前記画像は、前記タイムスタンプによって示される瞬間だけにおける画像、及び、予め設定した幾つかの時間単位だけ前記タイムスタンプによって示される瞬間の前及び／または後の幾つかの瞬間における画像を含む画像を指し、
前記タイムスタンプに対応する前記ビデオは、前記タイムスタンプから開始されタイムスタンプよりも予め設定した数時間単位後の時間に終了されたビデオ、前記タイムスタンプよりも予め設定した数時間単位前の時間から開始されタイムスタンプで終了されたビデオ、前記タイムスタンプより予め設定した数時間単位前の時間から開始されタイムスタンプよりも予め設定した数時間単位後の時間で終了されたビデオのうちの一つ以上を含み、
前記第一の取得モジュールは、
アップロードされるべきコンテンツのアドレスを前記撮影装置に送信し、前記撮影装置が前記タイムスタンプに対応する前記画像又は前記ビデオを前記アドレスにアップロードする、第一の送信サブモジュール、
前記アップロードされるべきコンテンツのアップロードが成功したことを示すメッセージを前記撮影装置から受信する第二の受信サブモジュール、及び、
前記アドレスから前記タイムスタンプに対応する前記画像又は前記ビデオを取得する第一の取得サブモジュールを含む、機器。
【請求項８】
前記撮影装置と通信接続を確立する第一の接続確立モジュールと、
表示されるべきビデオコンテンツに対して解像度を選択する選択モジュールであって、前記選択された解像度が前記撮影装置によって撮影された前記ビデオコンテンツの解像度よりも低い、選択モジュールと、
ビデオを表示する第二のリクエストを生成する第二のリクエスト生成モジュールであって、前記第二のリクエストは、前記選択された解像度を含み、前記撮影装置から前記選択された解像度に対応する前記ビデオコンテンツを要求するよう構成される、第二のリクエスト生成モジュールと、
前記第二のリクエストを前記撮影装置に送信する第二の送信モジュールと、
前記撮影装置から前記選択された解像度に対応する前記ビデオコンテンツを取得する第二の取得モジュールと、
前記撮影装置からの前記ビデオコンテンツを表示する表示モジュールとをさらに備える請求項７に記載の機器。
【請求項９】
前記選択モジュールは、
解像度を選択する第二の動作を受信する第一の受信サブモジュールであって、前記第二の動作が表示されるべきビデオコンテンツに対して選択された解像度を示す、第一の受信サブモジュール、及び、
前記第二の動作に基づいて前記表示されるべきビデオコンテンツに対して解像度を選択する第一の選択サブモジュールを含み、或いは、
前記選択モジュールは、
前記ユーザ端末の現在の通信モードを検出する検出サブモジュール、及び、
前記通信モードに基づいて前記表示されるべきビデオコンテンツに対して解像度を選択する第二の選択サブモジュールを含む、請求項８に記載の機器。
【請求項１０】
撮影装置において適用される、ビデオコンテンツを取得する機器であって、
前記ビデオコンテンツを表示するユーザ端末からコンテンツを取得する第一のリクエストを受信する第二の受信モジュールであって、前記第一のリクエストは、タイムスタンプを含み、前記ビデオコンテンツを撮影する前記撮影装置から前記タイムスタンプに対応する画像又はビデオを要求するよう構成される、第二の受信モジュールと、
前記タイムスタンプに対応する前記画像又は前記ビデオを抽出する抽出モジュールと、
前記ユーザ端末に前記タイムスタンプに対応する前記画像又は前記ビデオを供給する第一の供給モジュールであって、前記撮影装置からの前記画像又は前記ビデオの解像度が前記ユーザ端末上に現在表示される前記ビデオコンテンツの解像度よりも高い、第一の供給モジュールとを備え、
前記タイムスタンプに対応する前記画像は、前記タイムスタンプによって示される瞬間だけにおける画像、及び、予め設定した幾つかの時間単位だけ前記タイムスタンプによって示される瞬間の前及び／または後の幾つかの瞬間における画像を含む画像を指し、
前記タイムスタンプに対応する前記ビデオは、前記タイムスタンプから開始されタイムスタンプよりも予め設定した数時間単位後の時間に終了されたビデオ、前記タイムスタンプよりも予め設定した数時間単位前の時間から開始されタイムスタンプで終了されたビデオ、前記タイムスタンプより予め設定した数時間単位前の時間から開始されタイムスタンプよりも予め設定した数時間単位後の時間で終了されたビデオのうちの一つ以上を含み、
前記第一の供給モジュールは、
アップロードされるべきコンテンツのアドレスを前記ユーザ端末から受信する第四の受信サブモジュール、
前記タイムスタンプに対応する前記画像又は前記ビデオを前記アドレスにアップロードする第一のアップローディングサブモジュール、及び、
前記アップロードされるべきコンテンツのアップロードが成功したことを示すメッセージを前記ユーザ端末に送信する第二の送信サブモジュールを含む、機器。
【請求項１１】
前記ユーザ端末と通信接続を確立する第二の接続確立モジュールと、
前記ユーザ端末からビデオを表示する第二のリクエストを受信する第三の受信モジュールであって、前記第二のリクエストは、前記ユーザ端末によって選択される解像度を含み、前記撮影装置から前記ユーザ端末によって選択された前記解像度に対応する前記ビデオコンテンツを要求するよう構成され、前記ユーザ端末によって選択された前記解像度が前記撮影装置によって撮影された前記ビデオコンテンツの解像度よりも低い、第三の受信モジュールと、
前記ユーザ端末によって選択された前記解像度に対応する前記ビデオコンテンツを前記ユーザ端末に供給する第二の供給モジュールと、を備える請求項１０に記載の機器。
【請求項１２】
前記第二の供給モジュールは、
前記ユーザ端末によって選択された前記解像度と一致するよう、前記撮影装置によって撮影された前記ビデオコンテンツの前記解像度を変換する変換サブモジュール、及び、
前記ユーザ端末によって選択された前記解像度に変換された前記ビデオコンテンツを前記ユーザ端末に供給する供給サブモジュールを含む、請求項１１に記載の機器。
【請求項１３】
請求項１乃至６のうちいずれか１項に記載のビデオコンテンツを取得する方法を、コンピュータでの実行を可能にする、コンピュータプログラム。
【請求項１４】
請求項１３に記載のコンピュータプログラムを含む、コンピュータ可読記憶媒体。
【発明の詳細な説明】
【技術分野】
【０００１】
本願は、内容全体が参照により本願に組み込まれる、２０１５年６月２９日に出願された中国特許出願第２０１５１０３６９６９８．９号に基づき、その優先権を主張するものである。
本発明は、ビデオサービスの分野に関し、特に、ビデオコンテンツを取得する方法及びビデオコンテンツを取得する機器に関する。
【背景技術】
【０００２】
ネットワークと接続可能な通信モジュールがますます多くの撮影装置（例えば、カメラ、カメラ装置等）に設けられている。そのため、ユーザ端末は、ネットワークを介して撮影装置と通信接続を確立し、それにより、撮影装置内のビデオコンテンツをいつでもユーザ端末を介して遠隔的に視聴することを可能にするため、ユーザにとっては便利である。
【発明の概要】
【発明が解決しようとする課題】
【０００３】
従来技術に存在する問題を解決するために、本発明は、ビデオコンテンツを取得する方法及びビデオコンテンツを取得する機器を提供する。
【課題を解決するための手段】
【０００４】
本発明の第一の態様によると、ビデオコンテンツを取得する方法が提供される。該方法は、ユーザ端末において適用され、ユーザ端末上に現在表示されるビデオコンテンツにおけるコンテンツを取得する第一の動作を受信するステップと、第一の動作に基づいてコンテンツを取得する第一のリクエストを生成するステップであって、第一のリクエストは、タイムスタンプを含み、ビデオコンテンツを撮影する撮影装置からタイムスタンプに対応する画像又はビデオを要求するよう構成される、ステップと、撮影装置に第一のリクエストを送信するステップと、撮影装置からタイムスタンプに対応する画像又はビデオを取得するステップであって、撮影装置からの画像又はビデオの解像度がユーザ端末上に現在表示されるビデオコンテンツの解像度よりも高いステップと、を備える。
【０００５】
コンテンツを取得する第一のリクエストを撮影装置に送信することにより、ユーザ端末は撮影装置からタイムスタンプに対応する画像又はビデオを取得することができ、撮影装置からの画像又はビデオの解像度はユーザ端末上に現在表示されるビデオコンテンツの解像度よりも高い。このようにして、ユーザが低解像度でビデオコンテンツを視聴する場合にユーザが興味を持つ瞬間又は期間においてより高い解像度で画像又はビデオを取得する効果が実現され得る。
【０００６】
一実施形態では、該方法は、第一の動作を受信するステップの前には、撮影装置と通信接続を確立するステップと、表示されるべきビデオコンテンツに対して解像度を選択するステップであって、選択された解像度が撮影装置によって撮影されたビデオコンテンツの解像度よりも低いステップと、ビデオを表示する第二のリクエストを生成するステップと、第二のリクエストは、選択された解像度を含み、撮影装置から選択された解像度に対応するビデオコンテンツを要求するよう構成されるステップと、撮影装置に第二のリクエストを送信するステップと、撮影装置から選択された解像度に対応するビデオコンテンツを取得するステップと、撮影装置からのビデオコンテンツを表示するステップとをさらに備える。
【０００７】
撮影装置によって撮影されたビデオコンテンツの解像度よりも低い解像度のビデオコンテンツをユーザ端末によって表示することで、ユーザ端末のネットワーク・トラフィックが低減され、費用が削減され、ビデオの送信速度が増加される。
【０００８】
一実施形態では、表示されるべきビデオコンテンツに対して解像度を選択するステップは、解像度を選択する第二の動作を受信するステップであって、第二の動作が表示されるべきビデオコンテンツに対して選択された解像度を示すよう構成されるステップ、及び、第二の動作に基づいて表示されるべきビデオコンテンツに対して解像度を選択するステップを含み、或いは、表示されるべきビデオコンテンツに対して解像度を選択するステップは、ユーザ端末の現在の通信モードを検出するステップ、及び、通信モードに基づいて表示されるべきビデオコンテンツに対して解像度を選択するステップを含む。
【０００９】
解像度を選択する第二の動作に基づいて表示されるべきビデオに対して解像度を選択することで、ユーザは、表示されるべきビデオに対する解像度として全ての低解像度を積極的に選択してもよく、それにより、ユーザの実際のニーズが満たされ得る。或いは、ユーザ端末により現在の通信モードに基づいて表示されるべきビデオに対して解像度を選択することで、ユーザ端末はユーザからのどの動作も要することなく表示されるべきビデオコンテンツに対する解像度として低解像度を自動的に選択してもよいため、簡単且つ便利である。
【００１０】
一実施形態では、撮影装置からタイムスタンプに対応する画像又はビデオを取得するステップは、アップロードされるべきコンテンツのアドレスを撮影装置に送信し、撮影装置がタイムスタンプに対応する画像又はビデオをアドレスにアップロードするステップ、アップロードされるべきコンテンツのアップロードが成功したことを示すメッセージを撮影装置から受信するステップ、及び、アドレスからタイムスタンプに対応する画像又はビデオを取得するステップを含み、或いは、撮影装置からタイムスタンプに対応する画像又はビデオを取得するステップは、アップロードされるべきコンテンツのアップロードが成功したことを示すメッセージ、及び、アップロードされるべきコンテンツのアドレスを撮影装置から受信するステップであって、アップロードされるべきコンテンツのアドレスがタイムスタンプに対応する画像又はビデオを撮影装置によりアップロードする位置を示すステップ、及び、アドレスからタイムスタンプに対応する画像又はビデオを取得するステップを含む。
【００１１】
ユーザ端末によって撮影装置にアップロードされるべきコンテンツのアドレスを送信し、撮影装置によってタイムスタンプに対応する画像又はビデオをアドレスにアップロードすることで、ユーザ端末はアップロードされるべきコンテンツに対して任意のアドレスを指定可能であり、通信の安全性を確保するために有益となる。或いは、アップロードされるべきコンテンツのアドレスを撮影装置によってユーザ端末に直接送信することで、ユーザ端末はタイムスタンプに対応する画像又はビデオを撮影装置によりアップロードする位置を通知され、それにより、ユーザ端末によって画像又はビデオを取得する手順は簡略化され、ユーザ端末はより効果的に且つ迅速にタイムスタンプに対応する画像又はビデオを取得することができる。
【００１２】
本発明の実施形態の第二の態様によると、ビデオコンテンツを取得する方法が提供される。該方法は、撮影装置において適用され、ビデオコンテンツを表示するユーザ端末からコンテンツを取得する第一のリクエストを受信するステップであって、第一のリクエストは、タイムスタンプを含み、ビデオコンテンツを撮影する撮影装置からタイムスタンプに対応する画像又はビデオを要求するよう構成される、ステップと、タイムスタンプに対応する画像又はビデオを抽出するステップと、タイムスタンプに対応する画像又はビデオをユーザ端末に供給するステップであって、撮影装置からの画像又はビデオの解像度がユーザ端末上に現在表示されるビデオコンテンツの解像度よりも高い、ステップと、を備える。
【００１３】
ユーザ端末によってコンテンツを取得する第一のリクエストを撮影装置に送信することにより、ユーザ端末は撮影装置からタイムスタンプに対応する画像又はビデオを取得することができ、撮影装置からの画像又はビデオの解像度はユーザ端末上に現在表示されるビデオコンテンツの解像度よりも高い。このようにして、ユーザが低解像度でビデオコンテンツを視聴する場合にユーザが興味を持つ瞬間又は期間においてより高い解像度で画像又はビデオを取得する効果が実現され得る。
【００１４】
一実施形態では、該方法は、第一のリクエストを受信するステップの前には、ユーザ端末と通信接続を確立するステップと、ユーザ端末からビデオを表示する第二のリクエストを受信するステップであって、第二のリクエストは、ユーザ端末によって選択される解像度を含み、撮影装置からユーザ端末によって選択された解像度に対応するビデオコンテンツを要求するよう構成され、ユーザ端末によって選択された解像度が撮影装置によって撮影されたビデオコンテンツの解像度よりも低いステップと、ユーザ端末によって選択された解像度に対応するビデオコンテンツをユーザ端末に供給するステップと、をさらに備える。
【００１５】
撮影装置によって撮影されたビデオコンテンツの解像度よりも低い解像度のビデオコンテンツを撮影装置によってユーザ端末に供給することで、ユーザ端末のネットワーク・トラフィックが低減され、費用が削減され、ビデオの送信速度が増加される。
【００１６】
一実施形態では、ユーザ端末によって選択された解像度に対応するビデオコンテンツをユーザ端末に供給するステップは、ユーザ端末によって選択された解像度と一致するよう、撮影装置によって撮影されたビデオコンテンツの解像度を変換するステップ、及び、ユーザ端末によって選択された解像度に変換されたビデオコンテンツをユーザ端末に供給するステップを含む。
【００１７】
撮影装置によってユーザ端末に解像度が変換されたビデオコンテンツを供給することで、ユーザ端末のネットワーク・トラフィックが低減され、費用が削減され、ビデオの送信速度が増加される。
【００１８】
一実施形態では、タイムスタンプに対応する画像又はビデオをユーザ端末に供給するステップは、アップロードされるべきコンテンツのアドレスをユーザ端末から受信するステップ、タイムスタンプに対応する画像又はビデオをアドレスにアップロードするステップ、及び、ユーザ端末にアップロードされるべきコンテンツのアップロードが成功したことを示すメッセージを送信するステップ、を含み、或いは、タイムスタンプに対応する画像又はビデオをユーザ端末に供給するステップは、タイムスタンプに対応する画像又はビデオをアップロードされるべきコンテンツのアドレスにアップロードするステップであって、アドレスがタイムスタンプに対応する画像又はビデオを撮影装置によりアップロードする位置を示す、ステップ、及び、アップロードされるべきコンテンツのアップロードが成功したことを示すメッセージ、及び、前記コンテンツのアップロードされたアドレスをユーザ端末に送信するステップ、を含む。
【００１９】
アップロードされるべきコンテンツのアドレスをユーザ端末によって撮影装置に送信し、撮影装置によってタイムスタンプに対応する画像又はビデオをアドレスにアップロードすることで、ユーザ端末はアップロードされるべきコンテンツに対して任意のアドレスを指定可能であり、通信の安全性を確保するために有益となる。或いは、撮影装置によってユーザ端末にアップロードされるべきコンテンツのアドレスを直接送信することで、ユーザ端末はタイムスタンプに対応する画像又はビデオを撮影装置によりアップロードする位置を通知され、それにより、ユーザ端末によって画像又はビデオを取得する手順は簡略化され、ユーザ端末はより効果的に且つ迅速にタイムスタンプに対応する画像又はビデオを取得することができる。
【００２０】
本発明の第三の態様によると、ビデオコンテンツを取得する機器が提供される。機器は、ユーザ端末において適用され、ユーザ端末上に現在表示されるビデオコンテンツにおけるコンテンツを取得する第一の動作を受信する、第一の受信モジュールと、第一の動作に基づいてコンテンツを取得する第一のリクエストを生成する第一のリクエスト生成モジュールであって、第一のリクエストは、タイムスタンプを含み、ビデオコンテンツを撮影する撮影装置からタイムスタンプに対応する画像又はビデオを要求するよう構成される、第一のリクエスト生成モジュールと、第一のリクエストを撮影装置に送信する第一の送信モジュールと、撮影装置からタイムスタンプに対応する画像又はビデオを取得する第一の取得モジュールであって、撮影装置から画像又はビデオの解像度がユーザ端末上に現在表示されるビデオコンテンツの解像度よりも高い、第一の取得モジュールと、を備える。
【００２１】
一実施形態では、機器は、さらに、撮影装置と通信接続を確立する第一の接続確立モジュールと、表示されるべきビデオコンテンツに対して解像度を選択する選択モジュールであって、選択された解像度が撮影装置によって撮影されたビデオコンテンツの解像度よりも低い、選択モジュールと、ビデオを表示する第二のリクエストを生成する第二のリクエスト生成モジュールであって、第二のリクエストは、選択された解像度を含み、撮影装置から選択された解像度に対応するビデオコンテンツを要求するよう構成される、第二のリクエスト生成モジュールと、第二のリクエストを撮影装置に送信する第二の送信モジュールと、撮影装置から選択された解像度に対応するビデオコンテンツを取得する第二の取得モジュールと、撮影装置からのビデオコンテンツを表示する表示モジュールと、をさらに備える。
【００２２】
一実施形態では、選択モジュールは、解像度を選択する第二の動作を受信する第一の受信サブモジュールであって、第二の動作が表示されるべきビデオコンテンツに対して選択された解像度を示す、第一の受信サブモジュール、及び、第二の動作に基づいて表示されるべきビデオコンテンツに対して解像度を選択する第一の選択サブモジュールを含み、或いは、選択モジュールは、ユーザ端末の現在の通信モードを検出する検出サブモジュール、及び、通信モードに基づいて表示されるべきビデオコンテンツに対して解像度を選択する第二の選択サブモジュールを含む。
【００２３】
一実施形態では、第一の取得モジュールは、アップロードされるべきコンテンツのアドレスを撮影装置に送信し、撮影装置がタイムスタンプに対応する画像又はビデオをアドレスにアップロードする、第一の送信サブモジュール、アップロードされるべきコンテンツのアップロードが成功したことを示すメッセージを撮影装置から受信する第二の受信サブモジュール、及び、アドレスからタイムスタンプに対応する画像又はビデオを取得する第一の取得サブモジュールを含み、或いは、第一の取得モジュールは、アップロードされるべきコンテンツのアップロードが成功したことを示すメッセージ、及び、アップロードされるべきコンテンツのアドレスを撮影装置から受信する第三の受信サブモジュールであって、アドレスがタイムスタンプに対応する画像又はビデオを撮影装置によりアップロードする位置を示す第三の受信サブモジュール、及び、アドレスからタイムスタンプに対応する画像又はビデオを取得する第二の取得サブモジュールを含む。
【００２４】
本発明の第四の態様によると、ビデオコンテンツを取得する機器が提供される。機器は、撮影装置において適用され、ビデオコンテンツを表示するユーザ端末からコンテンツを取得する第一のリクエストを受信する第二の受信モジュールであって、第一のリクエストは、タイムスタンプを含み、ビデオコンテンツを撮影する撮影装置からタイムスタンプに対応する画像又はビデオを要求するよう構成される、第二の受信モジュールと、タイムスタンプに対応する画像又はビデオを抽出する抽出モジュールと、ユーザ端末にタイムスタンプに対応する画像又はビデオを供給する第一の供給モジュールであって、撮影装置からの画像又はビデオの解像度がユーザ端末上に現在表示されるビデオコンテンツの解像度よりも高い、第一の供給モジュールと、を備える。
【００２５】
一実施形態では、機器は、さらに、ユーザ端末と通信接続を確立する第二の接続確立モジュールと、ユーザ端末からビデオを表示する第二のリクエストを受信する第三の受信モジュールであって、第二のリクエストは、ユーザ端末によって選択される解像度を含み、撮影装置からユーザ端末によって選択された解像度に対応するビデオコンテンツを要求するよう構成され、ユーザ端末によって選択された解像度が撮影装置によって撮影されたビデオコンテンツの解像度よりも低い、第三の受信モジュールと、ユーザ端末によって選択された解像度に対応するビデオコンテンツをユーザ端末に供給する第二の供給モジュールと、を備える。
【００２６】
一実施形態では、第二の供給モジュールは、ユーザ端末によって選択された解像度と一致するよう、撮影装置によって撮影されたビデオコンテンツの解像度を変換する変換サブモジュール、及び、ユーザ端末によって選択された解像度に変換されるビデオコンテンツをユーザ端末に供給する供給サブモジュールを含む。
【００２７】
一実施形態では、第一の供給モジュールは、アップロードされるべきコンテンツのアドレスをユーザ端末から受信する第四の受信サブモジュール、タイムスタンプに対応する画像又はビデオをアドレスにアップロードする第一のアップローディングサブモジュール、及び、アップロードされるべきコンテンツのアップロードが成功したことを示すメッセージをユーザ端末に送信する第二の送信サブモジュール、を含み、或いは、第一の供給モジュールは、タイムスタンプに対応する画像又はビデオをアップロードされるべきコンテンツのアドレスにアップロードする第二のアップローディングサブモジュールであって、アドレスがタイムスタンプに対応する画像又はビデオを撮影装置によりアップロードする位置を示す、第二のアップローディングサブモジュール、及び、アップロードされるべきコンテンツのアップロードが成功したことを示すメッセージ、及び、前記コンテンツのアップロードされたアドレスをユーザ端末に送信する第三の送信サブモジュール、を含む。
【００２８】
本発明の第五の態様によると、ビデオコンテンツを取得する機器が提供される。機器は、プロセッサと、プロセッサによって実行可能な命令を記憶するメモリと、を備え、プロセッサは、ユーザ端末上に現在表示されるビデオコンテンツにおけるコンテンツを取得する第一の動作を受信する処理と、第一の動作に基づいてコンテンツを取得する第一のリクエストを生成する処理であって、第一のリクエストは、タイムスタンプを含み、ビデオコンテンツを撮影する撮影装置からタイムスタンプに対応する画像又はビデオを要求するよう構成される、処理と、第一のリクエストを撮影装置に送信する処理と、撮影装置からタイムスタンプに対応する画像又はビデオを取得する処理であって、撮影装置からの画像又はビデオの解像度がユーザ端末上に現在表示されるビデオコンテンツの解像度よりも高い処理と、を実行する。
【００２９】
本発明の第六の態様によると、ビデオコンテンツを取得する機器が提供される。機器は、プロセッサと、プロセッサによって実行可能な命令を記憶するメモリと、を備え、プロセッサは、ビデオコンテンツを表示するユーザ端末からコンテンツを取得する第一のリクエストを受信する処理であって、第一のリクエストは、タイムスタンプを含み、ビデオコンテンツを撮影する撮影装置からタイムスタンプに対応する画像又はビデオを要求するよう構成される処理と、タイムスタンプに対応する画像又はビデオを抽出する処理と、タイムスタンプに対応する画像又はビデオをユーザ端末に供給する処理であって、撮影装置からの画像又はビデオの解像度がユーザ端末上に現在表示されるビデオコンテンツの解像度よりも高い処理を実行するように構成される。
【００３０】
ここで、前述の概要、及び、以下の詳細な説明それぞれは例示的で説明的であるに過ぎず、請求される本発明を限定するものでないことが理解されるであろう。
【図面の簡単な説明】
【００３１】
本明細書に組み込まれ、その一部をなす添付の図面は、本発明と一致する実施形態を例示し、以下の説明と併せて本発明の原理を説明する。
【図１】例示的な実施形態による実施環境を示す概略図である。
【図２】例示的な実施形態によるビデオコンテンツを取得する方法を示すフローチャートである。
【図３】別の例示的な実施形態によるビデオコンテンツを取得する方法を示すフローチャートである。
【図４】図２又は図３に示す実施形態において提供された方法が実施された場合のユーザ端末のインターフェイスを示す概略図である。
【図５】例示的な実施形態によるビデオコンテンツを取得する方法を示すフローチャートである。
【図６】別の例示的な実施形態によるビデオコンテンツを取得する方法を示すフローチャートである。
【図７】本発明の例示的な実施形態によるユーザ端末と撮影装置との間の信号及び指令インタラクションを示す概略図である。
【図８】例示的な実施形態によるビデオコンテンツを取得する機器のブロック図である。
【図９】別の例示的な実施形態によるビデオコンテンツを取得する機器のブロック図である。
【図１０ａ】別の例示的な実施形態によるビデオコンテンツを取得する機器のブロック図である。
【図１０ｂ】別の例示的な実施形態によるビデオコンテンツを取得する機器のブロック図である。
【図１１ａ】別の例示的な実施形態によるビデオコンテンツを取得する機器のブロック図である。
【図１１ｂ】別の例示的な実施形態によるビデオコンテンツを取得する機器のブロック図である。
【図１２】例示的な実施形態によるビデオコンテンツを取得する機器のブロック図である。
【図１３】別の例示的な実施形態によるビデオコンテンツを取得する機器のブロック図である。
【図１４】別の例示的な実施形態によるビデオコンテンツを取得する機器のブロック図である。
【図１５ａ】別の例示的な実施形態によるビデオコンテンツを取得する機器のブロック図である。
【図１５ｂ】別の例示的な実施形態によるビデオコンテンツを取得する機器のブロック図である。
【図１６】例示的な実施形態によるビデオコンテンツを取得する機器のブロック図である。
【発明を実施するための形態】
【００３２】
ここで、例示的な実施形態を詳細に参照し、その実施例は添付の図面に例示される。以下の説明では、別途説明がない限り、異なる図面中の同じ番号は同一の或いは類似の要素を表す。例示的な実施形態の以下の説明に記載する実施は、本発明と一致する全ての実施を表すものではない。それらの実施は、添付の特許請求の範囲に記載する本発明と関連する態様と一致する機器及び方法の実施例に過ぎない。
【００３３】
図１は、例示的な実施形態による実施環境を示す概略図である。図１に示すように、実施環境は、撮影装置１１０と、ユーザ端末１２０とを含む。撮影装置１１０は、ネットワークを介してユーザ端末１２０と接続されてもよく、ネットワークを介してユーザ端末１２０と通信してもよい。ネットワークは、Ｗｉ−Ｆｉ（登録商標）（ワイヤレス・フィデリティ、忠実な無線通信環境）、２Ｇ（第二世代無線電話方式）、３Ｇ（第三世代無線電話方式）、４Ｇ（第四世代無線電話方式）ネットワーク等を含むが、これらに制限されない。
【００３４】
撮影装置１１０は、記憶機能及び処理機能を備えるインテリジェントカメラ装置又はインテリジェントカメラでもよい。ユーザ端末１２０は、インテリジェントカメラ装置又はインテリジェントカメラによって撮影されたビデオコンテンツをインテリジェントカメラ装置又はインテリジェントカメラから直接取得してもよい。或いは、撮影装置１１０は、カメラとカメラに（無線又は有線で）接続されたサーバーを含んでもよく、サーバーは、カメラによって撮影されたビデオコンテンツを記憶し処理するよう構成される。ユーザ端末１２０は、カメラによって撮影されたビデオコンテンツをサーバーから取得してもよい。そのため、カメラ上での動作が簡略化され、カメラの記憶能力及び処理能力に対する要件が低減される。図１において、撮影装置１１０は、例としてインテリジェントカメラとして例示される。
【００３５】
ユーザ端末１２０は、スマートフォン、タブレットコンピュータ、パソコン、ノートパソコン等でもよい。ユーザ端末１２０は、ネットワークを介して撮影装置１１０によって撮影されたビデオコンテンツを視聴することができ、遠隔的なビデオ監視が実施される。図１において、ユーザ端末１２０は、例としてスマートフォンとして例示される。
【００３６】
図２は、例示的な実施形態によるビデオコンテンツを取得する方法を示すフローチャートである。該方法は、図１に示すようなユーザ端末１２０等のユーザ端末において適用され得る。図２に示すように、該方法は以下のステップを含む。
【００３７】
ステップＳ２０１において、ユーザ端末上に表示されるビデオコンテンツにおけるコンテンツを取得する第一の動作を受信する。
【００３８】
第一の動作は、ユーザ端末上で現在表示されているビデオコンテンツにおける画像又はビデオを取得するユーザの意図を表すために使用されてもよい。第一の動作は、画像を取得する動作及びビデオを取得する動作を含み得る。例えば、ユーザが撮影装置から送られユーザ端末で表示されるビデオコンテンツを視聴する場合、ユーザがビデオコンテンツにおけるある瞬間或いはある期間のピクチャに興味があると、ユーザは、ある瞬間又は期間に対応する画像を取得する意思を表すためにユーザ端末の対話型インターフェイスを介して画像を取得する動作を実施してもよく、又は、ユーザはある瞬間又は期間に対応するビデオを取得する意思を表すためにユーザ端末の対話型インターフェイスを介してビデオを取得する動作を実施してもよい。それにより、ユーザ端末は、コンテンツを取得する第一の動作を受信してもよい。
【００３９】
ステップＳ２０２において、第一の動作に基づいてコンテンツを取得する第一のリクエストを生成する。第一のリクエストはタイムスタンプを含み、ビデオコンテンツを撮影する撮影装置からタイムスタンプに対応する画像又はビデオを要求するよう構成される。
【００４０】
例えば、タイムスタンプは、第一の動作が受信された時間、又は、ユーザ端末の対話型インターフェイスを介してユーザによって定められた時間でもよい。タイムスタンプが後者の場合、ユーザ端末はコンテンツを取得する第一のリクエストを生成する前にユーザによって定められた時間を受信する。ユーザによって定められた時間はタイムスタンプとして使用されてコンテンツを取得する第一のリクエストに含まれる。
【００４１】
ステップＳ２０３において、第一のリクエストを撮影装置に送信する。
【００４２】
ステップＳ２０４において、撮影装置からタイムスタンプに対応する画像又はビデオを取得する。ここで、撮影装置からの画像またはビデオの解像度はユーザ端末上で表示されるビデオコンテンツの解像度よりも高い。
【００４３】
一実施例では、タイムスタンプに対応する画像はタイムスタンプによって示される瞬間（時刻）だけにおける画像を含んでもよい。例えば、タイムスタンプが２０：３０の場合、タイムスタンプに対応する画像は瞬間２０：３０における画像を含んでもよい。
【００４４】
或いは、タイムスタンプに対応する画像はタイムスタンプによって示される瞬間だけにおける画像、及び、予め設定した幾つかの時間単位だけ該タイムスタンプによって示される瞬間の前及び／又は後の幾つかの瞬間における画像を含んでもよい。例えば、タイムスタンプが２０：３０の場合、タイムスタンプに対応する画像は瞬間２０：３０における画像、瞬間２０：２８における画像、瞬間２０：２９における画像、瞬間２０：３１における画像等を含む。このようにして、撮影装置は選択用にユーザに幾つかの画像を供給し得る。コンテンツを取得する不時のコンテンツ取得動作によりユーザが興味を持つ画像が取得できないといった問題が回避される。
【００４５】
一実施例では、タイムスタンプに対応するビデオは、タイムスタンプから開始されタイムスタンプよりも予め設定した数時間単位（例えば、十単位）後の時間に終了されたビデオ、タイムスタンプよりも予め設定した数時間単位（例えば、十単位）前の時間から開始されタイムスタンプで終了されたビデオ、タイムスタンプよりも予め設定した数時間単位（例えば、五単位）前の時間から開始されタイムスタンプよりも予め設定した数時間単位（例えば、五単位）後の時間で終了されたビデオ等のうちの一つ以上を含む。
【００４６】
図１を参照して説明したように、撮影装置は、記憶機能及び処理機能を備えたインテリジェントカメラ装置又はインテリジェントカメラでもよい。この場合、ユーザ端末は、インテリジェントカメラ装置又はインテリジェントカメラからタイムスタンプに対応する画像又はビデオを直接取得してもよい。
【００４７】
或いは、撮影装置は、カメラとカメラに接続されたサーバーとを含み、サーバーはカメラによって撮影されたビデオコンテンツを記憶し処理するよう構成される。この場合、ユーザ端末は、サーバーからタイムスタンプに対応する画像又はビデオを取得してもよい。
【００４８】
ユーザ端末上に現在表示されているビデオコンテンツは撮影装置によって撮影され、即ち、ユーザ端末上に現在表示されているビデオコンテンツが撮影装置によって供給される。撮影装置では、ユーザ端末に供給されるビデオコンテンツの解像度が記録され得る。ユーザ端末からコンテンツを取得する第一のリクエストを受信した後、撮影装置は記録された解像度よりも高い解像度でタイムスタンプに対応する画像またはビデオを供給してもよい。
【００４９】
或いは、ユーザ端末は、コンテンツを取得する第一のリクエストに現在表示されているビデオコンテンツの解像度を含んでもよい。コンテンツを取得する第一のリクエストを受信した後、撮影装置は、コンテンツを取得する第一のリクエストからユーザ端末上で現在表示されているビデオコンテンツの解像度を決定してもよい。続いて、撮影装置は、第一のリクエストから決定された解像度よりも高い解像度でタイムスタンプに対応する画像又はビデオをユーザ端末に供給する。
【００５０】
上述したことから、本発明に係るビデオコンテンツを取得する方法によると、ユーザ端末からコンテンツを取得する第一のリクエストを撮影装置に送ることで、ユーザ端末は撮影装置からタイムスタンプに対応する画像又はビデオを取得することができ、撮影装置からの画像又はビデオの解像度はユーザ端末上で現在表示されているビデオコンテンツの解像度よりも高くなり、それにより、ユーザが低解像度でビデオコンテンツを視聴する場合にユーザが興味を持つ瞬間又は期間においてより高い解像度で画像又はビデオを取得する効果が実現され得る。
【００５１】
図３は、別の例示的な実施形態による、ビデオコンテンツを取得する方法を示すフローチャートである。該方法は、図１に示すようなユーザ端末１２０等のユーザ端末において適用され得る。図３に示すように、該方法は以下のステップを含む。
【００５２】
ステップＳ３０１において、撮影装置との通信接続が確立される。例えば、ユーザ端末は、Ｗｉ−Ｆｉ（登録商標）、２Ｇ、３Ｇ、又は、４Ｇ等の無線或いは有線技術を介して撮影装置と通信接続を確立し得る。
【００５３】
ステップＳ３０２において、表示されるべきビデオコンテンツに対する解像度を選択する。例えば、撮影装置によって撮影されるビデオコンテンツは高解像度を有してもよい。例えば、高解像度は１０８０ｐでもよい。選択された解像度は、撮影装置によって撮影されたビデオコンテンツの解像度より低くてもよい。例えば、選択された解像度は、７２０ｐ等の標準解像度でもよい。
【００５４】
表示されるべきビデオコンテンツに対する解像度は、様々な方法で選択され得る。例えば、第一の方法では、ユーザはユーザ端末によって提供される対話型インターフェイスで解像度を選択する第二の動作を実施してもよく、解像度を選択する第二の動作は、表示されるべきビデオコンテンツに対して選択された解像度を示すために使用されてもよい。ユーザ端末は、解像度を選択する第二の動作を受信し、解像度を選択する第二の動作に基づいて表示されるべきビデオコンテンツに対する解像度を選択してもよい。このようにして、ユーザは、表示されるべきビデオコンテンツに対する解像度として、全ての低解像度（例えば、標準解像度７２０ｐ）を積極的に選択してもよく、それにより、ユーザの実際の要件が満たされる。
【００５５】
第二の方法では、ユーザ端末は、自身の現通信モードを検出し、現通信モードに基づいて表示されるべきビデオコンテンツに対する解像度を選択してもよい。例えば、ユーザ端末が、現通信モードが２Ｇ、３Ｇ、又は、４Ｇ等のユーザのネットワーク・トラフィックを消費する通信モードであると検出すると、ユーザ端末はユーザからのどの動作も要することなく表示されるべきビデオコンテンツに対する解像度として低解像度（例えば、標準解像度７２０ｐ）を自動的に選択してもよいため、簡単且つ便利である。
【００５６】
ステップＳ３０３では、ビデオを表示する第二のリクエストを生成し、第二のリクエストは、選択された解像度を含み、撮影装置から選択された解像度に対応するビデオコンテンツを要求するよう構成される。
【００５７】
ステップＳ３０４では、第二のリクエストを撮影装置に送信する。
【００５８】
ビデオを表示する第二のリクエストを受信した後、撮影装置は第二のリクエストからユーザ端末によって選択された解像度を決定してもよい。続いて、ユーザ端末によって選択された解像度に対応するビデオコンテンツがユーザ端末に供給される。
【００５９】
ステップＳ３０５では、選択された解像度に対応するビデオコンテンツを撮影装置から取得する。
【００６０】
図１を参照して説明したように、撮影装置は記憶機能及び処理機能を備えたインテリジェントカメラ装置又はインテリジェントカメラでもよい。この場合、ユーザ端末は、インテリジェントカメラ装置又はインテリジェントカメラから選択された解像度に対応するビデオコンテンツを直接取得してもよい。
【００６１】
或いは、撮影装置は、カメラとカメラに接続されたサーバーとを含み、サーバーはカメラによって撮影されたビデオコンテンツを記憶し処理するよう構成される。この場合、ユーザ端末はサーバーからユーザ端末によって選択された解像度に対応するビデオコンテンツを取得してもよい。
【００６２】
ステップＳ３０６では、撮影装置からのビデオコンテンツを表示する。この際、ユーザ端末上に表示されるビデオコンテンツはユーザ端末によって選択された解像度に対応するビデオコンテンツである。
【００６３】
ユーザ端末により、撮影装置によって撮影されたビデオコンテンツの解像度よりも低い解像度でビデオコンテンツを表示することで、ユーザ端末のネットワーク・トラフィックが低減され、費用が削減され、ビデオの送信速度が増される。
【００６４】
ステップＳ３０７において、ユーザ端末上で表示されるビデオコンテンツにおけるコンテンツを取得する第一の動作を受信する。
【００６５】
ステップＳ３０８において、第一の動作に基づいてコンテンツを取得する第一のリクエストが生成され、第一のリクエストはタイムスタンプを含み、ビデオコンテンツを撮影する撮影装置からタイムスタンプに対応する画像又はビデオを要求するよう構成される。
【００６６】
ステップＳ３０９において、第一のリクエストを撮影装置に送信する。
【００６７】
ステップＳ３１０において、タイムスタンプに対応する画像又はビデオを撮影装置から取得し、撮影装置からの画像又はビデオの解像度はユーザ端末上で表示されるビデオコンテンツの解像度よりも高い。
【００６８】
ステップＳ３０７乃至Ｓ３１０は図２におけるステップＳ２０１乃至Ｓ２０４と同じであり、ここでは説明しない。
【００６９】
ステップＳ２０４又はＳ３１０では、ユーザ端末は、様々な方法で撮影装置からタイムスタンプに対応する画像又はビデオを取得してもよい。例えば、第一の方法では、ユーザ端末がアップロードされるべきコンテンツのアドレスを撮影装置に送り、撮影装置がタイムスタンプに対応する画像又はビデオを該アドレスにアップロードしてもよい。アドレスはＵＲＬ（Ｕｎｉｆｏｒｍ  Ｒｅｓｏｕｒｃｅ  Ｌｏｃａｔｏｒ、統一資源位置指定子）等のアドレスでもよい。続いて、ユーザ端末は、アップロードされるべきコンテンツのアップロードが成功であったことを示すメッセージを撮影装置から受信してもよい。該メッセージは、撮影装置によるタイムスタンプに対応する画像又はビデオのアドレスへのアップロードが成功であったことを示す。続いて、ユーザ端末は、該アドレスからタイムスタンプに対応する画像又はビデオを取得（例えば、ダウンロード）してもよい。このようにして、ユーザ端末は任意のアップロードされるアドレスを指定可能であるため、通信の安全性を確保するために有益となる。
【００７０】
第二の方法では、ユーザ端末はアップロードされるべきコンテンツのアップロードが成功したことを示すメッセージと、アップロードされるべきコンテンツのアドレスを受信してもよく、メッセージは撮影装置によるタイムスタンプに対応する画像又はビデオのアドレスへのアップロードが成功したことを示し、アドレスはタイムスタンプに対応し撮影装置によってアップロードされた画像又はビデオの位置を示すために使用される。次に、ユーザ端末は、アドレスからタイムスタンプに対応する画像又はビデオを取得（例えば、ダウンロード）してもよい。このようにして、ユーザ端末によって画像又はビデオを取得する手順が簡略化され、ユーザ端末はより効果的に且つ迅速にタイムスタンプに対応する画像又はビデオを取得することができる。
【００７１】
本発明では、アップロードされるべきコンテンツのアップロードが成功したことを示すメッセージは、ショートメッセージ、通知メッセージ、又は、音声メッセージ等の形態でもよい。
【００７２】
上述したことから、本発明に係るビデオコンテンツを取得する方法によると、ユーザ端末は撮影装置によって撮影されたビデオコンテンツの解像度よりも低い解像度のビデオコンテンツを表示するため、ユーザ端末のネットワーク・トラフィックが低減され、費用が削減され、ビデオの送信速度が増加される。さらに、ユーザ端末から撮影装置にコンテンツを取得する第一のリクエストを送ることで、ユーザ端末は撮影装置からタイムスタンプに対応する画像又はビデオを取得し得る。撮影装置からの画像又はビデオの解像度はユーザ端末上で現在表示されているビデオコンテンツの解像度よりも高く、ユーザが低解像度でビデオコンテンツを視聴する場合にユーザが興味を持つ瞬間（時刻）又は期間においてより高い解像度で画像又はビデオを取得する効果が実現され得る。
【００７３】
図４は、図２又は図３に示される実施形態において提供された方法が実施された場合のユーザ端末のインターフェイスを示す概略図である。例えば、図４に示すように、ユーザはユーザ端末のインターフェイスにおける欄Ａにおいて表示されるべきビデオに対する解像度を選択する第二の動作を実施してもよい。例えば、ユーザは表示されるべきビデオに対する解像度として「標準」解像度（即ち、７２０ｐ）を選択し、それにより、ユーザ端末のネットワーク・トラフィックが低減されビデオの送信速度が増加される。ユーザが「標準」解像度を選択した後、ユーザ端末は標準解像度に対応し、撮影装置によって供給されるビデオコンテンツを表示し得る。ビデオコンテンツの表示期間中、ユーザはユーザ端末のインターフェイスにおける欄Ｂをクリックすることで画像を取得する動作を実施してもよい。続いて、ユーザ端末は対応する高画質画像を取得してもよい。或いは、ユーザはユーザ端末のインターフェイスにおける欄Ｃをクリックすることでビデオを取得する動作を実施してもよい。続いて、ユーザ端末は対応する高画質ビデオを取得してもよい。
【００７４】
或いは、撮影装置から画像又はビデオを取得した後、ユーザ端末は画像又はビデオを表示してもよい。そのため、ユーザにとって、画像又はビデオを視聴することに便利となるだけではなく、フィルタ処理、削除、編集又は共有においても便利となる。
【００７５】
図５は、例示的な実施形態によるビデオコンテンツを取得する方法を示すフローチャートである。該方法は、図１に示すような撮影装置１１０等の撮影装置において適用されてもよい。図５に示すように、該方法は以下のステップを含む。
【００７６】
ステップＳ５０１において、ビデオコンテンツを表示するユーザ端末から、コンテンツを取得する第一のリクエストを受信する。第一のリクエストはタイムスタンプを含み、ビデオコンテンツを撮影する撮影装置からタイムスタンプに対応する画像又はビデオを要求するよう構成される。
【００７７】
ステップＳ５０２において、タイムスタンプに対応する画像又はビデオを抽出する。例えば、撮影装置は、最初にコンテンツを取得する第一のリクエストからタイムスタンプを決定し、続いて、撮影されたビデオコンテンツからタイムスタンプに対応する画像又はビデオを抽出してもよい。
【００７８】
ステップＳ５０３において、タイムスタンプに対応する画像又はビデオをユーザ端末に供給し、撮影装置からの画像又はビデオの解像度はユーザ端末上で現在表示されているビデオコンテンツの解像度よりも高い。
【００７９】
一実施例では、タイムスタンプに対応する画像はタイムスタンプによって示される瞬間（時刻）だけにおける画像を含んでもよい。例えば、タイムスタンプが２０：３０の場合、タイムスタンプに対応する画像は瞬間２０：３０における画像を含んでもよい。
【００８０】
或いは、タイムスタンプに対応する画像はタイムスタンプによって示される瞬間だけにおける画像、及び、予め設定した幾つかの時間単位だけ該タイムスタンプによって示される瞬間の前及び／又は後の幾つかの瞬間における画像を含んでもよい。例えば、タイムスタンプが２０：３０の場合、タイムスタンプに対応する画像は瞬間２０：３０における画像、瞬間２０：２８における画像、瞬間２０：２９における画像、瞬間２０：３１における画像等を含む。このようにして、撮影装置は選択用にユーザに幾つかの画像を供給し得る。コンテンツを取得する不時の第一の動作によりユーザが興味を持つ画像が取得できないといった問題が回避される。
【００８１】
一実施例では、タイムスタンプに対応するビデオは、タイムスタンプから開始されタイムスタンプよりも予め設定した数時間単位（例えば、十単位）後の時間に終了されたビデオ、タイムスタンプよりも予め設定した数時間単位（例えば、十単位）前の時間から開始されタイムスタンプで終了されたビデオ、タイムスタンプよりも予め設定した数時間単位（例えば、五単位）前の時間から開始されタイムスタンプよりも予め設定した数時間単位（例えば、五単位）後の時間で収容されたビデオ等のうちの一つ以上を含む。
【００８２】
図１を参照して説明したように、撮影装置は、記憶機能及び処理機能を備えたインテリジェントカメラ装置又はインテリジェントカメラでもよい。この場合、インテリジェントカメラ装置又はインテリジェントカメラは、ユーザ端末からコンテンツを取得する第一のリクエストを直接受信し、撮影されたビデオコンテンツからタイムスタンプに対応する画像又はビデオを直接抽出し、タイムスタンプに対応する画像又はビデオをユーザ端末に直接供給してもよい。
【００８３】
或いは、撮影装置は、カメラとカメラに接続されたサーバーとを含み、サーバーはカメラによって撮影されたビデオコンテンツを記憶し処理するよう構成される。この場合、撮影装置は、様々な方法でタイムスタンプに対応する画像又はビデオを供給してもよい。
【００８４】
例えば、第一の方法では、カメラは、ユーザ端末からコンテンツを取得する第一のリクエストを直接受信し、第一のリクエストをサーバーに転送してもよい。続いて、サーバーは、カメラによって撮影されたビデオコンテンツから、タイムスタンプに対応する画像又はビデオを抽出してもよい。サーバーは、タイムスタンプに対応する画像又はビデオを、カメラを介して、或いは、直接ユーザ端末に送信してもよい。
【００８５】
例えば、第二の方法では、サーバーは、ユーザ端末からコンテンツを取得する第一のリクエストを直接受信し、カメラによって撮影されたビデオコンテンツからタイムスタンプに対応する画像又はビデオを抽出してもよい。続いて、サーバーは、タイムスタンプに対応する画像又はビデオを、カメラを介して或いは直接ユーザ端末に送信してもよい。
【００８６】
撮影装置によってユーザ端末にタイムスタンプに対応する画像又はビデオを供給する方法は上記二つの方法に限定されない。
【００８７】
タイムスタンプに対応する画像又はビデオをユーザ端末に供給する場合、代替的には、撮影装置がタイムスタンプに対応し、撮影装置によって撮影されたビデオコンテンツから抽出された画像又はビデオをユーザ端末に直接送信してもよい。撮影装置によって撮影されたビデオコンテンツの解像度は、撮影装置が供給し得るビデオコンテンツの解像度の中で最も高いため、ユーザ端末上に現在表示されているビデオコンテンツの解像度は、撮影装置によって撮影されたビデオコンテンツの解像度よりも低く、ユーザ端末に供給された画像又はビデオの解像度がユーザ端末上に現在表示されているビデオコンテンツの解像度よりも高くなることを確実にすることが可能となる。
【００８８】
代替的には、撮影装置は、タイムスタンプに対応し撮影装置によって撮影されたビデオコンテンツから抽出された画像又はビデオの解像度を変換してもよく（該動作はインテリジェントカメラ装置又はインテリジェントカメラで実施されてもよく、或いは、撮影装置におけるサーバーにおいて実施されてもよい）、それにより、画像又はビデオの解像度が低減される。しかしながら、画像又はビデオの解像度は低減されてもユーザ端末上に現在表示されているビデオコンテンツの解像度よりもまだ高い。続いて、変換された解像度を有するタイムスタンプに対応する画像又はビデオは、ユーザ端末に供給される。このようにして、ユーザはより高い解像度でタイムスタンプに対応する画像又はビデオを取得可能であると共に、ユーザ端末のネットワーク・トラフィックがある程度低減され、費用が削減され、タイムスタンプに対応する画像又はビデオの送信速度が増加される。
【００８９】
上述したことから、本発明に係るビデオコンテンツを取得する方法によると、ユーザ端末から撮影装置にコンテンツを取得する第一のリクエストを送ることで、ユーザ端末は撮影装置からタイムスタンプに対応する画像又はビデオを取得してもよく、このとき、撮影装置からの画像又はビデオの解像度はユーザ端末上に現在表示されているビデオコンテンツの解像度よりも高くなり、それにより、ユーザが低解像度でビデオコンテンツを視聴する場合にユーザが興味を持つ瞬間又は期間においてより高い解像度で画像又はビデオを取得する効果が実現され得る。
【００９０】
図６は、別の例示的な実施形態によるビデオコンテンツを取得する方法を示すフローチャートである。該方法は、図１に示すような撮影装置１１０等の撮影装置において適用されてもよい。図６に示すように、該方法は以下のステップを含む。
【００９１】
ステップＳ６０１において、ユーザ端末との通信接続を確立する。例えば、撮影装置は、Ｗｉ−Ｆｉ（登録商標）、２Ｇ、３Ｇ、４Ｇ等の無線又は有線技術を介してユーザ端末と通信接続を確立してもよい。
【００９２】
ステップＳ６０２において、ビデオを表示する第二のリクエストをユーザ端末から受信し、第二のリクエストはユーザ端末によって選択された解像度を含み、撮影装置からユーザ端末によって選択された解像度に対応するビデオコンテンツを要求するよう構成され、ユーザ端末によって選択された解像度は撮影装置によって撮影されたビデオコンテンツの解像度よりも低い。
【００９３】
ステップＳ６０３において、ユーザ端末によって選択された解像度に対応するビデコンテンツをユーザ端末に供給する。
【００９４】
例えば、撮影装置によって撮影されたビデオコンテンツは高解像度を有する。例えば、高解像度は１０８０ｐでもよい。撮影装置は、高解像度のビデオコンテンツが撮影されるとともに、高解像度でビデオコンテンツを記憶してもよい。撮影装置が、ユーザ端末によって選択された解像度を含むビデオを表示する第二のリクエストをユーザ端末から一旦受信すると、撮影装置はユーザ端末によって選択された解像度と一致するよう撮影装置によって撮影されたビデオコンテンツの解像度を変換し得る。例えば、ユーザ端末によって選択された解像度は、７２０ｐ等の標準解像度である。撮影装置は、解像度１０８０ｐを有する撮影された高画質ビデオを圧縮して、高画質解像度をユーザ端末によって選択された解像度に変換する。ユーザ端末によって選択された解像度に変換されたビデオコンテンツがユーザ端末に供給される。このようにして、ユーザ端末のネットワーク・トラフィックが低減され、ビデオの送信速度が増加される。
【００９５】
図１を参照して説明したように、撮影装置は、記憶機能及び処理機能を備えたインテリジェントカメラ装置又はインテリジェントカメラでもよい。この場合、インテリジェントカメラ装置又はインテリジェントカメラはビデオを圧縮する。代替的には、撮影装置はカメラとカメラに接続されたサーバーとを含み、サーバーはカメラによって撮影されたビデオコンテンツを記憶し処理するよう構成される。この場合、サーバーがビデオを圧縮する。
【００９６】
或いは、撮影装置は、標準解像度のビデオコンテンツをユーザ端末に供給するが、高解像度のビデオコンテンツを常に記憶する。
【００９７】
ステップＳ６０４では、ビデオコンテンツを表示するユーザ端末から、コンテンツを取得する第一のリクエストを受信する。第一のリクエストはタイムスタンプを含み、ビデオコンテンツを撮影する撮影装置からタイムスタンプに対応する画像又はビデオを要求するよう構成される。
【００９８】
ステップＳ６０５では、タイムスタンプに対応する画像又はビデオを抽出する。例えば、撮影装置は、高画質解像度の記憶されたビデオコンテンツからタイムスタンプに対応する画像又はビデオを抽出してもよい。
【００９９】
ステップＳ６０６では、タイムスタンプに対応する画像又はビデオをユーザ端末に供給し、撮影装置からの画像又はビデオの解像度はユーザ端末上で現在表示されるビデオコンテンツの解像度（即ち、ユーザ端末によって選択された解像度）よりも高い。
【０１００】
ステップＳ６０４乃至Ｓ６０６はステップＳ５０１乃至Ｓ５０３と同じであり、ここでは説明しない。
【０１０１】
ステップＳ５０３又はステップＳ６０６では、撮影装置は様々な方法でタイムスタンプに対応する画像又はビデオをユーザ端末に供給してもよい。例えば、第一の方法では、撮影装置は、アップロードされるべきコンテンツのアドレスをユーザ端末から受信し、タイムスタンプに対応する画像又はビデオを該アドレスにアップロードしてもよい。タイムスタンプに対応する画像又はビデオのアップロードが成功した後、アップロードされるべきコンテンツのアップロードが成功したことを示すメッセージがユーザ端末に送られてもよい。
【０１０２】
第二の方法では、撮影装置は、タイムスタンプに対応する画像又はビデオをアップロードされるべきコンテンツのアドレスにアップロードする。該アドレスは、タイムスタンプに対応し撮影装置によってアップロードされた画像又はビデオの位置を示すために使用される。タイムスタンプに対応する画像又はビデオのアップロードが成功した後、アップロードされるべきコンテンツのアップロードが成功したことを示すメッセージ及びアドレスがユーザ端末に送られ、それにより、ユーザ端末は該アドレスからタイムスタンプに対応する画像又はビデオを取得し得る。
【０１０３】
本発明では、アップロードされるべきコンテンツのアップロードが成功したことを示すメッセージはタイムスタンプに対応する画像又はビデオの撮影装置による該アドレスへのアップロードが成功したことを示し、アップロードされるべきコンテンツのアップロードが成功したことを示すメッセージはショートメッセージ、通知メッセージ、又は、音声メッセージ等の形態でもよい。
【０１０４】
上述したことから、本発明に係るビデオコンテンツを取得する方法によると、撮影装置によって撮影されたビデオコンテンツの解像度よりも低い解像度のビデオコンテンツを撮影装置がユーザ端末に供給するため、ユーザ端末のネットワーク・トラフィックが低減され、費用が削減され、ビデオの送信速度が増加される。さらに、ユーザ端末からコンテンツを取得する第一のリクエストを撮影装置に送ることで、ユーザ端末は撮影装置からタイムスタンプに対応する画像又はビデオを取得し得る。撮影装置からの画像又はビデオの解像度はユーザ端末上で現在表示されているビデオコンテンツの解像度よりも高く、ユーザが低解像度でビデオコンテンツを視聴する場合にユーザが興味を持つ瞬間又は期間においてより高い解像度で画像又はビデオを取得する効果が実現され得る。
【０１０５】
図７は、本発明の例示的な実施形態による、ユーザ端末と撮影装置との間の信号及び指令インタラクションを示す概略図である。ユーザ端末は、図１に示すようなユーザ端末１２０である。撮影装置は、図１に示すような撮影装置１１０である。図７は、ユーザ端末又は撮影装置において適用される上述の一つ以上の方法におけるステップの一部又は全てに関わり、信号及び指令インタラクションはここでは説明されない。
【０１０６】
図８は、例示的な実施形態によるビデオコンテンツを取得する機器のブロック図である。機器は、図１に示すようなユーザ端末１２０等のユーザ端末において構成されてもよい。図８を参照すると、機器は、ユーザ端末上で現在表示されるビデオコンテンツにおけるコンテンツを取得する第一の動作を受信する第一の受信モジュール８１０と、第一の動作に基づいてコンテンツを取得する第一のリクエストを生成する第一のリクエスト生成モジュール８２０であって、第一のリクエストは、タイムスタンプを含み、ビデオコンテンツを撮影する撮影装置からタイムスタンプに対応する画像又はビデオを要求するよう構成される、第一のリクエスト生成モジュール８２０と、第一のリクエストを撮影装置に送信する第一の送信モジュール８３０と、撮影装置からタイムスタンプに対応する画像又はビデオを取得する第一の取得モジュール８４０であって、撮影装置からのタイムスタンプに対応する画像又はビデオの解像度がユーザ端末上で現在表示されるビデオコンテンツの解像度よりも高い、第一の取得モジュール８４０と、を備える。
【０１０７】
図９は、別の例示的な実施形態による、ビデオコンテンツを取得する機器のブロック図である。機器は、図１に示すようなユーザ端末１２０等のユーザ端末において構成されてもよい。図９を参照すると、機器は、さらに、撮影装置と通信接続を確立する第一の接続確立モジュール９１０と、表示されるべきビデオコンテンツに対して解像度を選択する選択モジュール９２０であって、選択された解像度が撮影装置によって撮影されたビデオコンテンツの解像度よりも低い、選択モジュール９２０と、ビデオを表示する第二のリクエストを生成する第二のリクエスト生成モジュール９３０であって、第二のリクエストは、選択された解像度を含み、撮影装置から選択された解像度に対応するビデオコンテンツを要求するよう構成される、第二のリクエスト生成モジュール９３０と、第二のリクエストを撮影装置に送信する第２の送信モジュール９４０と、撮影装置から選択された解像度に対応するビデオコンテンツを取得する第二の取得モジュール９５０と、撮影装置からのビデオコンテンツを表示する表示モジュール９６０とを備える。
【０１０８】
図１０ａ及び図１０ｂは、別の例示的な実施形態によるビデオコンテンツを取得する機器のブロック図である。機器は、図１に示すようなユーザ端末１２０等のユーザ端末において構成されてもよい。図１０ａを参照すると、代替的には、選択モジュール９２０は、解像度を選択する第二の動作を受信する第一の受信サブモジュール１０１０であって、第二の動作が表示されるべきビデオコンテンツに対する解像度を示すよう構成される、第一の受信サブモジュール１０１０、及び、第二の動作に基づいて表示されるべきビデオコンテンツに対する解像度を選択する第一の選択サブモジュール１０２０を含み得る。
【０１０９】
代替的には、図１０ｂを参照すると、選択モジュール９２０は、ユーザ端末の現在の通信モードを検出する検出サブモジュール１０３０、及び、通信モードに基づいて表示されるべきビデオコンテンツに対する解像度を選択する第二の選択サブモジュール１０４０を含み得る。
【０１１０】
図１１ａ及び図１１ｂは、別の例示的な実施形態によるビデオコンテンツを取得する機器のブロック図である。機器は、図１に示すようなユーザ端末１２０等のユーザ端末において構成されてもよい。図１１ａを参照すると、代替的には、第一の取得モジュール８４０は、撮影装置にアップロードされるべきコンテンツのアドレスを送信する第一の送信サブモジュール１１１０であって、撮影装置がタイムスタンプに対応する画像又はビデオをアドレスにアップロードする、第一の送信サブモジュール１１１０、アップロードされるべきコンテンツのアップロードが成功したことを示すメッセージを撮影装置から受信する第二の受信サブモジュール１１２０、及び、タイムスタンプに対応する画像又はビデオをアドレスから取得する第一の取得サブモジュール１１３０を含む。
【０１１１】
代替的には、図１１ｂを参照すると、第一の取得モジュール８４０は、撮影装置からアップロードされるべきコンテンツのアップロードが成功したことを示すメッセージ、及び、アップロードされるべきコンテンツのアドレスを受信する第三の受信サブモジュール１１４０であって、アドレスがタイムスタンプに対応する画像又はビデオを撮影装置によりアップロードする位置を示す、第三の受信サブモジュール１１４０、及び、アドレスからタイムスタンプに対応する画像又はビデオを取得する第二の取得サブモジュール１１５０を含む。
【０１１２】
図１２は、例示的な実施形態によるビデオコンテンツを取得する機器のブロック図である。機器は、図１に示すような撮影装置１１０等の撮影装置において構成されてもよい。図１２を参照すると、機器は、ビデオコンテンツを表示するユーザ端末からコンテンツを取得する第一のリクエストを受信する第二の受信モジュール１２１０であって、第一のリクエストがタイムスタンプを含み、ビデオコンテンツを撮影する撮影装置からタイムスタンプに対応する画像又はビデオを要求するよう構成される、第二の受信モジュール１２１０と、タイムスタンプに対応する画像又はビデオを抽出する抽出モジュール１２２０と、タイムスタンプに対応する画像又はビデオをユーザ端末に供給する第一の供給モジュール１２３０であって、撮影装置からの画像又はビデオの解像度がユーザ端末上に現在表示されるビデオコンテンツの解像度よりも高い、第一の供給モジュール１２３０と、を備える。
【０１１３】
図１３は、別の例示的な実施形態によるビデオコンテンツを取得する機器のブロック図である。機器は、図１に示すような撮影装置１１０等の撮影装置において構成されてもよい。図１３を参照すると、代替的には、機器は、さらに、ユーザ端末と通信接続を確立する第二の接続確立モジュール１３１０と、ユーザ端末からビデオを表示する第二のリクエストを受信する第三の受信モジュール１３２０であって、第二のリクエストがユーザ端末によって選択された解像度を含み、撮影装置からユーザ端末によって選択された解像度に対応するビデオコンテンツを供給するよう構成され、ユーザ端末によって選択された解像度が撮影装置によって撮影されたビデオコンテンツの解像度よりも低い、第三の受信モジュール１３２０と、ユーザ端末によって選択された解像度に対応するビデオコンテンツをユーザ端末に供給する第二の供給モジュール１３３０と、を備える。
【０１１４】
図１４は、別の例示的な実施形態によるビデオコンテンツを取得する機器のブロック図である。機器は、図１に示すような撮影装置１１０等の撮影装置において構成されてもよい。図１４を参照すると、代替的には、第二の供給モジュール１３３０は、ユーザ端末によって選択された解像度と一致するよう撮影装置によって撮影されたビデオコンテンツの解像度を変換する変換サブモジュール１４１０、及び、ユーザ端末によって選択された解像度に変換されたビデオコンテンツをユーザ端末に供給する供給サブモジュール１４２０を備える。
【０１１５】
図１５ａ及び図１５ｂは、別の例示的な実施形態によるビデオコンテンツを取得する機器のブロック図である。機器は、図１に示すような撮影装置１１０等の撮影装置において構成されてもよい。図１５ａを参照すると、代替的には、第一の供給モジュール１２３０は、ユーザ端末からアップロードされるべきコンテンツのアドレスを受信する第四の受信サブモジュール１５１０、タイムスタンプに対応する画像又はビデオをアドレスにアップロードする第一のアップローディングサブモジュール１５２０、及び、アップロードされるべきコンテンツのユーザ端末へのアップロードが成功したことを示すメッセージを送信する第二の送信サブモジュール１５３０を備える。
【０１１６】
代替的には、図１５ｂを参照すると、第一の供給モジュール１２３０は、タイムスタンプに対応する画像又はビデオをアップロードされるべきコンテンツのアドレスにアップロードする第二のアップローディングサブモジュール１５４０であって、アドレスがタイムスタンプに対応する画像又はビデオを撮影装置によりアップロードする位置を示す、第二のアップローディングサブモジュール、及び、アップロードされるべきコンテンツのアップロードが成功したことを示すメッセージ及びアドレスをユーザ端末に送信する第三の供給サブモジュール１５５０を含む。
【０１１７】
上述の実施形態における機器に関して、個々のモジュールについて動作を実施する特定の方法が該方法に関する実施形態において詳細に説明されたが、ここでは詳細に説明しない。
【０１１８】
図１６は、例示的な実施形態によるビデオコンテンツを取得する機器１６００のブロック図である。例えば、機器１６００は、携帯電話、コンピュータ、デジタル放送端末、メッセージング装置、ゲーム機、タブレット、医療装置、運動器具、携帯情報端末、インテリジェントカメラ装置、インテリジェントカメラ等、でもよい。
【０１１９】
図１６を参照すると、機器１６００は、プロセッシングコンポーネント１６０２、メモリ１６０４、電力コンポーネント１６０６、マルチメディアコンポーネント１６０８、オーディオコンポーネント１６１０、入力／出力（Ｉ／Ｏ）インターフェイス１６１２、センサコンポーネント１６１４、及び、通信コンポーネント１６１６等のコンポーネントのうち一つ以上を備え得る。
【０１２０】
プロセッシングコンポーネント１６０２は、典型的には、表示、通話、データ通信、カメラ動作、及び、記録動作と関連する動作等、機器１６００の全体的な動作を制御する。プロセッシングコンポーネント１６０２は、上述の方法におけるステップの全て或いはその一部を実施させる命令を実行するよう一つ以上のプロセッサ１６２０を含んでもよい。さらに、プロセッシングコンポーネント１６０２は、プロセッシングコンポーネント１６０２と他のコンポーネントとの間のインタラクションを容易にする一つ以上のモジュールを含んでもよい。例えば、プロセッシングコンポーネント１６０２は、マルチメディアコンポーネント１６０８とプロセッシングコンポーネント１６０２との間の相互作用を容易にするようマルチメディアモジュールを含んでもよい。
【０１２１】
メモリ１６０４は、機器１６００の動作を支持するよう様々なタイプのデータを記憶するよう構成される。データの例として、機器１６００で動作される全てのアプリケーション又は方法に対する命令、連絡先データ、電話帳データ、メッセージ、写真、ビデオ等が挙げられる。メモリ１６０４は、スタティック・ランダム・アクセス・メモリ（ＳＲＡＭ），電気的消去可能なプログラマブル読み取り専用メモリ（ＥＥＰＲＯＭ）、消去可能なプログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気又は光学ディスク等の、全てのタイプの揮発性又は不揮発性メモリ装置或いはその組み合わせを用いて実施されてもよい。
【０１２２】
電力コンポーネント１６０６は、機器１６００の様々なコンポーネントに電力を供給する。電力コンポーネント１６０６は、電力管理システム、一つ以上の電源、及び、機器１６００における電力の生成、管理、及び、配分と関連する全ての他のコンポーネントを含み得る。
【０１２３】
マルチメディアコンポーネント１６０８は、機器１６００とユーザとの間に出力インターフェイスを提供するスクリーンを含む。幾つかの実施形態では、スクリーンは、液晶表示装置（ＬＣＤ）及びタッチパネル（ＴＰ）を含む。スクリーンがタッチパネルを含む場合、スクリーンはユーザから入力信号を受信するようタッチスクリーンとして設けられてもよい。タッチパネルは、タッチパネルへの接触、スワイプ、及び、ジェスチャーを感知するよう一つ以上のタッチセンサを含んでもよい。タッチセンサは、接触又はスワイプ動作の境界を感知するだけでなく、接触又はスワイプ動作と関連する期間及び圧力も感知する。幾つかの実施形態では、マルチメディアコンポーネント１６０８は、前部カメラ及び／又は後部カメラを含む。前部カメラ及び後部カメラは、機器１６００が撮影モード又はビデオモード等の動作モードにある際に外部マルチメディアデータを受信してもよい。前部カメラ及び後部カメラそれぞれは、固定された光学レンズシステムでもよく、或いは、合焦及び光学ズーム機能を有してもよい。
【０１２４】
オーディオコンポーネント１６１０は、音声信号を出力及び／又は入力するよう構成される。例えば、オーディオコンポーネント１６１０は、機器１６００が通話モード、録音モード、及び、音声認識モード等の動作モードにある際に外部音声信号を受信するよう構成されるマイクロフォン（「ＭＩＣ」）を含む。受信した音声信号は、さらにメモリ１６０４に記憶されるか、通信コンポーネント１６１６を介して送信される。幾つかの実施形態では、オーディオコンポーネント１６１０は、さらに、音声信号を出力するようスピーカーを含む。
【０１２５】
Ｉ／Ｏインターフェイス１６１２は、プロセッシングコンポーネント１６０２と例えば、キーボード、クリックホイール、ボタン等の周辺インターフェイスモジュールとの間にインターフェイスを提供する。ボタンは、ホームボタン、音量ボタン、開始ボタン、及び、ロックボタンを含むが、これらに制限されない。
【０１２６】
センサコンポーネント１６１４は、機器１６００の様々な態様の状態評価を提供するよう一つ以上のセンサを含む。例えば、センサコンポーネント１６１４は、機器１６００の開／閉状態、機器１６００の表示部及びキーパッド等のコンポーネントの相対的な位置決め、機器１６００又は機器１６００のコンポーネントの位置の変化、機器１６００とのユーザ接触の有無、機器１６００の配向又は加速／減速、機器１６００の温度の変化を検出し得る。センサコンポーネント１６１４は、どの物理的接触も伴うことなく近隣の対象物の存在を検出する近接センサを含み得る。センサコンポーネント１６１４は、さらに、撮像用途において用いられるＣＭＯＳ又はＣＣＤ画像センサ等の光センサを含んでもよい。幾つかの実施形態では、センサコンポーネント１６１４は、さらに、加速度計センサ、ジャイロスコープセンサ、磁気センサ、圧力センサ、又は、温度センサを含み得る。
【０１２７】
通信コンポーネント１６１６は、機器１６００と他の装置との間の有線又は無線通信を容易にするよう構成される。機器１６００は、Ｗｉ−Ｆｉ（登録商標）、２Ｇ、３Ｇ、又は、その組み合わせ等の通信基準に基づいて無線ネットワークにアクセスすることができる。例示的な一実施形態では、通信コンポーネント１６１６は、放送チャネルを介して外部放送管理システムから放送信号、又は、放送関連情報を受信する。例示的な一実施形態では、通信コンポーネント１６１６は、さらに、短距離通信を容易にするよう近距離通信（ＮＦＣ）モジュールを含む。例えば、ＮＦＣモジュールは、無線自動識別（ＲＦＩＤ）技術、赤外線通信関連（ＩｒＤＡ）技術、超広帯域（ＵＷＢ）技術、ブルーツゥース（ＢＴ）技術、及び、他の技術に基づいて実施され得る。
【０１２８】
例示的な実施形態では、機器１６００には、上述の方法を実施する、一つ以上の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールド・プログラマブル・ゲート・アレイ（ＦＰＧＡ）、コントローラ、マイクロコントローラ、マイクロプロセッサ、又は、電子コンポーネントが設けられてもよい。
【０１２９】
例示的な実施形態では、上述の方法を実施する、機器１６００におけるプロセッサ１６２０によって実行可能な、メモリ１６０４に含まれる命令を含む非一過性のコンピュータ読み取り可能な記憶媒体も提供される。例えば、非一過性のコンピュータ読み取り可能な記憶媒体は、ＲＯＭ、ＲＡＭ、ＣＤ−ＲＯＭ、磁気テープ、フレキシブルディスク、光学データ記憶装置等でもよい。
【０１３０】
本発明の他の実施形態は、本願記載の発明の明細書及び実施を考慮して当業者には明らかとなるであろう。本願は、発明の一般的な原理に従い、技術における公知の又は従来の実施内にある本発明からの逸脱を含む、全ての変更態様、使用、又は、適応を網羅することが意図される。明細書および実施例は、例示的としてだけ考慮され、本発明の真の範囲及び精神は添付の特許請求の範囲に記載される。
【０１３１】
本発明は、上述し添付の図面に例示した正確な構成に制限されず、発明の範囲から逸脱することなく様々な変更及び変化がなされ得ることが意図される。本発明の範囲が添付の特許請求の範囲によってのみ制限されることが意図される。
【図１】
0006382961.tif 000002
【図２】
0006382961.tif 000003
【図３】
0006382961.tif 000004
【図４】
0006382961.tif 000005
【図５】
0006382961.tif 000006
【図６】
0006382961.tif 000007
【図７】
0006382961.tif 000008
【図８】
0006382961.tif 000009
【図９】
0006382961.tif 000010
【図１０ａ】
0006382961.tif 000011
【図１０ｂ】
0006382961.tif 000012
【図１１ａ】
0006382961.tif 000013
【図１１ｂ】
0006382961.tif 000014
【図１２】
0006382961.tif 000015
【図１３】
0006382961.tif 000016
【図１４】
0006382961.tif 000017
【図１５ａ】
0006382961.tif 000018
【図１５ｂ】
0006382961.tif 000019
【図１６】
0006382961.tif 000020